(57)【要約】      （修正有）【課題】簡単に装着でき、ケーブルの役割、機能、接続先などを明確に表示、識別することが出来るケーブル識別手段を提供する。【解決手段】合成樹脂で形成する帯状体で、同一ピッチ、同一径の螺旋を構成し、所定の色を表示した、所定長のスパイラルチューブを巻き付けて表示するケーブル識別に関し、第一のスパイラルチューブと第一のスパイラルチューブの隙間幅以下の帯状体幅を有する第二のスパイラルチューブのごとく、隙間幅以下の帯状体幅を備えるスパイラルチューブを用いて、第一のスパイラルチューブをケーブルに巻き付けた状態で、第二のスパイラルチューブ以降のスパイラルチューブの帯状体を、以前に巻き付けたスパイラルチューブの残隙間に配置して、順次巻き付けることにより、巻き付けられたスパイラルチューブに表示される色の配列によりケーブルの識別、ならびに接続先の指定などを行う。【選択図】図１
0003171583.tif 000002
【実用新案登録請求の範囲】
【請求項１】
合成樹脂で形成する帯状体で、同一ピッチ、同一径の螺旋を構成し、所定の色を表示した、所定長のスパイラルチューブを巻き付けて表示するケーブル識別に関し、第一のスパイラルチューブと第一のスパイラルチューブの隙間幅以下の帯状体幅を有する第二のスパイラルチューブ、第二のスパイラルチューブの隙間幅以下の帯状体幅を有する第三のスパイラルチューブのごとく、隙間幅以下の帯状体幅を備えるスパイラルチューブを用いて、第一のスパイラルチューブをケーブルに巻き付けた状態で、第二のスパイラルチューブ以降のスパイラルチューブの帯状体を、以前に巻き付けたスパイラルチューブの残隙間に配置して、順次巻き付けることにより、巻き付けられたスパイラルチューブに表示される色の配列によりケーブルの識別、ならびに接続先の指定などを行うことが出来る、ケーブルマーキング。
【請求項２】
合成樹脂で形成する帯状体に、色グループを表示するための形状を付加することにより、スパイラルチューブに表示される色の識別数を増大させる、請求項１に記載するケーブルの識別、ならびに接続先の指定などを行うことが出来る、ケーブルマーキング。
【考案の詳細な説明】
【技術分野】
【０００１】合成樹脂で形成する帯状体で、同一ピッチ、同一径の螺旋を構成し、所定の色を表示した、所定長のスパイラルチューブを巻き付けて表示するケーブル識別に関し、第一のスパイラルチューブと第一のスパイラルチューブの隙間幅以下の帯状体幅を有する第二のスパイラルチューブ、第二のスパイラルチューブの隙間幅以下の帯状体幅を有する第三のスパイラルチューブのごとく、隙間幅以下の帯状体幅を備えるスパイラルチューブを用いて、第一のスパイラルチューブをケーブルに巻き付けた状態で、第二のスパイラルチューブ以降のスパイラルチューブの帯状体を、以前に巻き付けたスパイラルチューブの残隙間に配置して、順次巻き付けることにより、巻き付けられたスパイラルチューブに表示される色の配列によりケーブルの識別、ならびに接続先の指定などを行うケーブル識別手段。
【背景技術】
【０００２】従来、ケーブルの識別、接続先の指定などは、必要事項を表記したラベルなどをケーブルに巻き付けたり、タグを取り付けたりなどの方法で行われている。しかしラベルを巻き付ける方法は、太さの異なるケーブルに対して最適なラベルサイズを一様に決めることは難しく、太いケーブルには大サイズ、細いケーブルには小サイズなどが必要となり、ケーブルに旨く巻き付ける作業も簡単では無い。さらにラベルに記載する表記文字などのサイズはラベルのサイズに合わせる必要があり、小さくなると認識し難くなるとともに、巻き付けによる重なりで識別不能になるなどの難点が有る。また、タグの場合は取り付けたタグが邪魔になるなどの問題を有している。このため、ケーブルの太さに影響され難く、ケーブルへの装着が容易で、識別が確実なケーブル識別手段が求められている。
【考案が解決しようとする課題】
【０００３】電子機器内部、または電子機器間をケーブルで接続する場合に、ケーブルが複数本になると、何の目的のケーブルであるのか、また何処に接続すべきケーブルであるのかなどが簡単には識別できなくなる。しかし、ＰＣが動作中に誤って電源コンセントを抜いたり、ＵＳＢケーブルなどを抜くと誤作動でＰＣが動作不能となる危険が有るため、それぞれのケーブルの役割、機能、接続先などを確実に表示して認識することが不可欠である。このためには、多様な太さのケーブルに対しての対応が必要であり、簡単に装着でき、かつ、ケーブルの役割、機能、接続先などを明確に表示、識別することが出来るケーブル識別手段を実現することが課題である。
【課題を解決するための手段】
【０００４】合成樹脂で形成する帯状体で、同一ピッチ、同一径の螺旋を構成し、所定の色を表示した、所定長のスパイラルチューブを巻き付けて表示するケーブル識別に関し、第一のスパイラルチューブと第一のスパイラルチューブの隙間幅以下の帯状体幅を有する第二のスパイラルチューブ、第二のスパイラルチューブの隙間幅以下の帯状体幅を有する第三のスパイラルチューブのごとく、隙間幅以下の帯状体幅を備えるスパイラルチューブを用いて、第一のスパイラルチューブをケーブルに巻き付けた状態で、第二のスパイラルチューブ以降のスパイラルチューブの帯状体を、以前に巻き付けたスパイラルチューブの残隙間に配置して、順次巻き付けることにより、巻き付けられたスパイラルチューブに表示される色の配列によりケーブルの識別、ならびに接続先の指定などを行う。
【考案の効果】
【０００５】合成樹脂で形成する帯状体で、同一ピッチ、同一径の螺旋を構成し、所定の色を表示した、所定長のスパイラルチューブを、相互に重なり合うことなく隙間に配置してケーブルに巻きつけることにより、巻きつけは至って簡単、かつ、スパイラルチューブの形状の柔軟性により多様なケーブルサイズへの適用が可能であるとともに、スパイラルチューブの色の配列によりケーブルの識別、接続先の指定などを行うことにより、文字などで表示する場合と比較して、ケーブルやスパイラルチューブのサイズ、ケーブルへのスパイラルチューブの巻き付け具合などによる影響を殆ど受けないなど、従来のケーブル識別手段が抱えていた課題を全て解決することが出来る。
【考案を実施するための形態】
【０００６】電子機器内部、または電子機器間をケーブルで接続する場合に、ケーブルが複数本になると、何の目的のケーブルであるのか、また何処に接続すべきケーブルであるのかなどが簡単には識別できなくなる。このため、従来は、ケーブルの識別、接続先の指定などは、図４の（１）に示すごとく、該当事項を表記したラベル７をケーブルに巻き付けたり、（２）に示すごとく、該当事項を表記したタグ８を取り付けたりなどの方法で行われている。しかしラベルを巻き付ける方法は、太さの異なるケーブルに対して適切なラベルサイズを一様に決めることは難しく、ケーブルに旨く巻き付ける作業も簡単では無い。さらにラベルに記載する表記文字などのサイズもラベルのサイズに合わせる必要があり、文字サイズによっては認識が難くなるなどの難点が有るとともに、タグの場合は取り付けたタグが邪魔になるなど多くの欠点を有していた。
【０００７】しかるに本考案では、多種多様な太さのケーブルに対してフレキシブルな対応を図り、ケーブルの識別、接続先の指定などを簡単、確実、かつ認識し易い手段で表示するために、図１に示すように、合成樹脂で形成する帯状体１の幅Ｐ、隙間幅Ｗ、ピッチ幅Ｔとして、径Ｄの螺旋を構成し、所定の色を表示した所定長Ｌのスパイラルチューブをケーブル２に巻きつける。ケーブルの識別を一色で行う場合は、巻きつけた一本のスパイラルチューブの色のみでケーブルを識別することも可能であるが、この方法では識別の数だけ表示色の異なるスパイラルチューブが必要となる。図２は、同一幅の帯状体３，４でＰ＝Ｗの螺旋を構成した二本のスパイラルチューブをケーブル２に巻きつけた状態を示しており、スパイラルチューブの色を赤、青、緑、黒の四色とすれば、図５（１）に示すように１０本のケーブルの識別が可能である。
【０００８】図３は少ない色数で出来るだけ多くの識別数を確保するために、請求項２に示すごとく、帯状体の幅を変えて（帯状体５の幅＞帯状体６の幅）、広幅の帯状体５の色を第一色グループ、狭幅６の色を第二色グループとして同じ色でも幅を変えてグループ化して識別数を増やしている。この結果赤、青、緑、黒の４色であっても図５の（２）に示すごとく１６の識別が可能である。また、固定抵抗で決められている１０色のカラーコードを採用すれば、二本のスパイラルチューブで、１００通りの識別が可能であるとともに、色で数字を表現できるなど、極めて便利な表示が可能となる。
【０００９】以上説明するごとく、巻きつけは至って簡単、かつ、スパイラルチューブの形状の柔軟性により多様なケーブルサイズへの適用が可能であるとともに、スパイラルチューブの色ならびに色グループを選んで配列することにより、文字などで表示する場合と比較して、ケーブルやスパイラルチューブのサイズ、ケーブルへのスパイラルチューブの巻き付け具合などによる影響を受け難いなど、従来のケーブル識別手段が抱えていた課題が全て解決されている。
【実施例】
【００１０】スパイラルチューブは、材質をポリエチレンとして、押し出し成型で製造し、帯状体は厚さ０．４ｍｍで、広幅５ｍｍと狭幅３ｍｍの二種類、ピッチ幅（Ｐ＋Ｗ）＝８ｍｍ、径Ｄ＝２．６ｍｍとし、長さＬ＝２４ｍｍとした。巻き付け可能なケーブル径は２ｍｍ〜７ｍｍ程度となり、巻き付け状態は図３に示される。色は赤、青、緑、黒の４色とし、第一色グループを広幅、第二色グループを狭幅とすることにより４×４＝１６本のケーブルの識別が可能である。スパイラルチューブのケーブルへの巻き付け位置は任意であるが、ケーブルの両端に配置するのが適切と考える。スパイラルチューブは長尺のものを必要に応じて切断して使用することも出来る。また、色グループを指定するための帯状体の形状としては、幅を変える方法の他、突起を設けたり、小穴を開けたりなどさまざまな識別形状を付加することが可能である。さらに識別数を増やす場合は、色数を増やすか、または更に狭幅のスパイラルチューブを構成して、スパイラルチューブの本数を増やせば良い。適用する材質はポリエチレン、ナイロン、テフロン、エラストマー、合成ゴム、塩ビなど硬度、滑り具合などを考慮して最適なものを使用することが望ましい。さらに、各種ディメンジョンは識別するケーブルの太さ、形状などで変り得るなど，本考案の趣旨を逸脱しない範囲で有れば，種々変形実施が可能である。
【図面の簡単な説明】
【００１１】
【図１】本考案によるスパイラルチューブ一本をケーブルに巻きつけた概念図を示す
【図２】本考案によるスパイラルチューブ二本をケーブルに巻きつけた概念図を示す
【図３】本考案による帯状体の幅の異なるスパイラルチューブ二本をケーブルに巻きつけた概念図を示す
【図４】従来のケーブル識別の表示方法を示す概念図を示す  （１）はラベル  （２）はタグ
【図５】帯状体の４色による識別可能数を示す表
【図６】帯状体に広幅と狭幅の識別形状を付加した場合の４色よる識別可能数を示す表
【符号の説明】１  帯状体
２  ケーブル
３  帯状体
４  帯状体
５  広幅の帯状体
６  狭幅の帯状体
７  ラベル
８  タグ
Ｐ  帯状体幅
Ｗ  隙間幅
Ｔ  ピッチ幅（Ｐ＋Ｗ）
Ｄ  径
Ｌ  長さ
【図１】
0003171583.tif 000003
【図２】
0003171583.tif 000004
【図３】
0003171583.tif 000005
【図４】
0003171583.tif 000006
【図５】
0003171583.tif 000007
【手続補正書】
【提出日】平成23年8月12日(2011.8.12)
【手続補正１】
【補正対象書類名】実用新案登録請求の範囲
【補正対象項目名】全文
【補正方法】変更
【補正の内容】
【実用新案登録請求の範囲】
【請求項１】
合成樹脂で形成する帯状体で、同一ピッチ、同一径の螺旋を構成し、所定の色を表示して、ケーブルなどに巻きつける所定長のスパイラルチューブに関し、第一のスパイラルチューブと第一のスパイラルチューブの隙間幅以下の帯状体幅を有する第二のスパイラルチューブ、第二のスパイラルチューブの隙間幅以下の帯状体幅を有する第三のスパイラルチューブのごとく、それぞれ隙間幅以下の複数の帯状体幅を複数の色で形成することを特徴とする多色・カラースパイラルチューブ。
【請求項２】
合成樹脂で形成する帯状体に、色グループを表示するための形状を付加することにより、スパイラルチューブに表示される色の識別数を増大させる、請求項１に記載する多色・カラースパイラルチューブ。
【手続補正３】
【補正対象書類名】明細書
【補正対象項目名】０００１
【補正方法】変更
【補正の内容】
【０００１】合成樹脂で形成する帯状体で、同一ピッチ、同一径の螺旋を構成し、所定の色を表示して、ケーブルなどに巻きつける所定長のスパイラルチューブに関し、第一のスパイラルチューブと第一のスパイラルチューブの隙間幅以下の帯状体幅を有する第二のスパイラルチューブ、第二のスパイラルチューブの隙間幅以下の帯状体幅を有する第三のスパイラルチューブのごとく、それぞれ隙間幅以下の複数の帯状体幅を複数の色で形成することにより、巻きつけたケーブルやパイプなどの識別を容易にすることが出来る、多色・カラースパイラルチューブ。
【手続補正４】
【補正対象書類名】明細書
【補正対象項目名】００１０
【補正方法】変更
【補正の内容】
【００１０】スパイラルチューブは、材質をポリエチレンとして、押し出し成型で製造し、帯状体は厚さ０．４ｍｍで、広幅５ｍｍと狭幅３ｍｍの二種類、ピッチ幅（Ｐ＋Ｗ）＝８ｍｍ、径Ｄ＝２．６ｍｍとし、長さＬ＝２４ｍｍとした。巻き付け可能なケーブル径は２ｍｍ〜７ｍｍ程度となり、巻き付け状態は図３に示される。色は赤、青、緑、黒の４色とし、第一色グループを広幅、第二色グループを狭幅とすることにより４×４＝１６本のケーブルの識別が可能である。スパイラルチューブのケーブルへの巻き付け位置は任意であるが、ケーブルの両端に配置するのが適切と考える。スパイラルチューブは長尺のものを必要に応じて切断して使用することも出来る。また、色グループを指定するための帯状体の形状としては、幅を変える方法の他、突起を設けたり、小穴を開けたりなどさまざまな識別形状を付加することが可能である。さらに識別数を増やす場合は、色数を増やすか、または更に狭幅のスパイラルチューブを構成して、スパイラルチューブの本数を増やせば良い。適用する材質はポリエチレン、ナイロン、エラストマー、合成ゴム、塩ビなど硬度、滑り具合などを考慮して最適なものを使用することが望ましい。さらに、各種ディメンジョンは識別するケーブルの太さ、形状などで変り得るなど，本考案の趣旨を逸脱しない範囲で有れば，種々変形実施が可能である。
【手続補正５】
【補正対象書類名】明細書
【補正対象項目名】００１１
【補正方法】変更
【補正の内容】
【００１１】
【図１】本考案によるスパイラルチューブ一本をケーブルに巻きつけた概念図を示す
【図２】本考案によるスパイラルチューブ二本をケーブルに巻きつけた概念図を示す
【図３】本考案による帯状体の幅の異なるスパイラルチューブ二本をケーブルに巻きつけた概念図を示す
【図４】従来のケーブル識別の表示方法を示す概念図を示す  （１）はラベル  （２）はタグ
【図５】帯状体の４色による識別可能数を示す表  （１）は４色での識別可能数  （２）は４色をグループ化した場合の識別可能数
【符号の説明】
１  帯状体
２  ケーブル
３  帯状体
４  帯状体
５  広幅の帯状体
６  狭幅の帯状体
７  ラベル
８  タグ
Ｐ  帯状体幅
Ｗ  隙間幅
Ｔ  ピッチ幅（Ｐ＋Ｗ）
Ｄ  径
Ｌ  長さ